(57)【要約】【課題】ケーブルを装着したり外したりする際にケーブルの保護被覆が損傷を受けることのないケーブルガイドを提供する。【解決手段】ケーブルガイドの前面部３１は、接続端子１１に対応した位置に形成されていてケーブル２０が装着され、ケーブル部２１のみが挿通できるケーブル装着孔４３と、ケーブル装着孔４３と隣接して連結し、接続端子部が通過可能な大きさの接続端子部通過孔４１、４２と、ケーブル装着孔４３と接続端子部通過孔４１、４２との連結部にて連結部の間隔を狭める方向に突出されていて少なくとも一方が連結部の間隔を広げる方向に変位可能な突起部４４ａを有する。そして、突起部４４ａは、ケーブルをケーブル装着孔４３に装着する際、及びケーブルをケーブル装着孔４３から取り外す際に連結部の間隔を広げる方向に変位する。【選択図】図４
2015228308.tif 000002
【特許請求の範囲】
【請求項１】
複数の接続端子を備える情報処理装置のそれぞれの接続端子にケーブルの接続端子部を案内するケーブルガイドであって、
基材を備え、
前記基材には、
前記接続端子に対応した位置に形成されていて前記ケーブルのケーブル部を挿通して保持するとともに、前記接続端子部の通過を阻止する大きさの第１開口部と、
前記第１開口部と隣接して形成されていて前記接続端子部が挿通可能な大きさの第２開口部と、
前記第１開口部と前記第２開口部との連結部にて前記第１開口部の並び方向両側から前記連結部の間隔を狭める方向にそれぞれ突出されていて少なくとも一方が前記連結部の間隔を広げる方向に変位可能な突起部と、
を備えることを特徴とするケーブルガイド。
【請求項２】
前記第２開口部は、長方形の形状を有し、前記長方形の長辺に沿って複数の前記第１開口部が並置されている、
ことを特徴とする請求項１記載のケーブルガイド。
【請求項３】
隣接する前記第１開口部の間を隔てる隔壁が前記第１開口部の一方又は他方へ傾倒復元可能に形成され、
前記突起部は、前記隔壁の先端部に形成され、前記連結部の間隔を狭める方向又は広げる方向に変位可能である、
ことを特徴とする請求項２記載のケーブルガイド。
【請求項４】
前記基材は、前記隔壁を含め樹脂によって一体成型されている、
ことを特徴とする請求項３記載のケーブルガイド。
【請求項５】
前記隔壁は、その長手方向にスリットが形成されている、
ことを特徴とする請求項３乃至４記載のケーブルガイド。
【請求項６】
前記基材は、前記基材の外周縁部から前記第１開口部に挿通された前記ケーブルを囲うように前記基材の外周縁部から前記ケーブルの長手方向に延出された囲繞部を有する、
ことを特徴とする請求項３乃至５記載のケーブルガイド。
【請求項７】
前記囲繞部は、前記情報処理装置に係脱自在な係止部を有する、
ことを特徴とする請求項６記載のケーブルガイド。
【発明の詳細な説明】
【技術分野】
【０００１】
本発明は、複数のケーブルを情報処理装置の所定の接続端子に案内するように保持することができるケーブルガイドに関する。
【背景技術】
【０００２】
情報処理装置は、一般に、その機能を拡張するために各種接続端子が備えられている。これら接続端子は、ケーブルを介して外部機器が接続され、これにより、情報処理装置は外部機器の機能を適宜追加していくことができる。
【０００３】
ところで情報処理装置は、接続された外部機器を修理や点検等を行うために接続端子からケーブルを外すことがある。修理や点検が済めば、外部機器のケーブルは、外した接続端子に再接続することになる。修理や点検等を行う外部機器が複数ある場合、外されるケーブルも複数になる。ここで、情報処理装置が同じ形状の接続端子を複数備えていた、しかも、複数の接続端子が集合して配置されているような場合、複数のケーブルを再接続するとき、接続されるべき接続端子を特定することが困難な場合があった。しかも、外部機器が異なる接続端子に再接続された場合、情報処理装置によっては、その外部機器を認識しないことがある。したがって、外部機器のケーブルは、外した接続端子と同じ接続端子に接続する必要がある。
【０００４】
これに対して、情報処理装置の接続端子の位置関係を保持した状態でケーブルを保持することにより、ケーブルを情報処理装置の接続すべき接続端子に案内するケーブルガイドの提案がある（たとえば、特許文献１参照）。このケーブルガイドによれば、厚さの薄いプレートからなり、そのプレートには、情報処理装置の接続端子と対応する位置にケーブルを１本ずつ通すことができる大きさのケーブル装着孔が形成されている。それぞれのケーブル装着孔は、プレートの外周縁部との間にスリットが形成されて外周縁部と繋がっている。ケーブルをケーブル装着孔に装着する場合、スリットを挟む両側部分をプレートの面に対して垂直方向であって互いに反対方向に移動させることでスリットを広げ、その広げられたスリットにケーブルを押し込むことでケーブルがケーブル装着孔に通される。
【先行技術文献】
【特許文献】
【０００５】
【特許文献１】特開昭６２−２１９４８２号公報
【発明の概要】
【発明が解決しようとする課題】
【０００６】
しかしながら、特許文献１に記載のケーブルガイドでは、広げたスリットにケーブルを押し込むことでケーブル装着孔へ装着しているので、ケーブルを装着したり外したりする際にケーブルの保護被覆が切れてしまう等の不具合があった。
【０００７】
本発明は、このような点に鑑みてなされたものであり、ケーブルを装着したり外したりする際にケーブルの保護被覆が損傷を受けることのないケーブルガイドを提供することを目的とする。
【課題を解決するための手段】
【０００８】
上記課題を解決するために、以下のような複数の接続端子を備える情報処理装置のそれぞれの接続端子にケーブルの接続端子部を案内するケーブルガイドが提供される。
このケーブルガイドは、基材を備え、基材には、接続端子に対応した位置に形成されていてケーブルのケーブル部を挿通して保持するとともに、接続端子部の通過を阻止する大きさの第１開口部と、第１開口部と隣接して形成されていて接続端子部が挿通可能な大きさの第２開口部と、第１開口部と第２開口部との連結部にて連結部の間隔を狭める方向に突出されていて少なくとも一方が連結部の間隔を広げる方向に変位可能な突起部と、を備える。
【発明の効果】
【０００９】
ケーブルガイドは、ケーブルを装着したり外したりする際に、第１開口部と第２開口部との間に形成された突起部が間隔を広げる方向に変位可能であるため、ケーブルの保護被覆が損傷することはない。
【図面の簡単な説明】
【００１０】
【図１】第１の実施形態におけるケーブルガイドが適用される接続インタフェースの一例を示す図である。
【図２】ケーブルの一例を示す図である。
【図３】第１の実施形態におけるケーブルガイドの斜視図である。
【図４】第１の実施形態におけるケーブルガイドの正面図である。
【図５】第１の実施形態におけるケーブルガイドの背面図である。
【図６】第１の実施形態におけるケーブルガイドの右側面図である。
【図７】第１の実施形態におけるケーブルガイドの平面図である。
【図８】第１の実施形態におけるケーブルガイドを用いたケーブルの接続端子への接続例を示す図である。
【図９】第１の実施形態におけるケーブルガイドを用いたケーブルの接続端子への接続例を示す図である。
【図１０】第１の実施形態におけるケーブルガイドを用いたケーブルの接続端子への接続例を示す図である。
【図１１】第１の実施形態におけるケーブルガイドを用いたケーブルの接続端子への接続例を示す図である。
【図１２】第１の実施形態におけるケーブルガイドに装着したケーブルの接続先を間違えた場合の一例を示す図である。
【図１３】第２の実施形態におけるケーブルガイドの斜視図である。
【図１４】第２の実施形態におけるケーブルガイドの正面図である。
【図１５】第３の実施形態におけるケーブルガイドの斜視図である。
【図１６】第３の実施形態におけるケーブルガイドの正面図である。
【図１７】第４の実施形態におけるケーブルガイドが適用される接続インタフェースの一例を示す図である。
【図１８】第４の実施形態におけるケーブルガイドの斜視図である。
【図１９】第４の実施形態におけるケーブルガイドの平面図である。
【図２０】第４の実施形態におけるケーブルガイドの右側面図である。
【図２１】第４の実施形態におけるケーブルガイドの接続インタフェースへの装着例を示す図である。
【図２２】第４の実施形態におけるケーブルガイドの接続インタフェースへの装着例を示す図である。
【発明を実施するための形態】
【００１１】
以下、実施形態を図面を参照して説明を行う。
［第１の実施形態］
まず始めに、ケーブルの接続端子への接続の概要等について図１、２を参照して説明する。
【００１２】
図１は、第１実施形態におけるケーブルガイドが適用される接続インタフェースの一例を示す図である。図２は、ケーブルの一例を示す図である。
接続インタフェース１０は、コンピュータ（情報処理装置）が外部機器と接続するためのインタフェースである。接続インタフェース１０は、図１に示すように、複数の接続端子１１を有し、それぞれの接続端子１１で外部機器と接続可能である。接続インタフェース１０は、図示の例では、ＵＳＢ（Universal Serial Bus）の規格のタイプＡコネクタとする接続端子１１が４行３列で配置された例を示している。接続端子１１は、横に長い長方形の形状を有している。
【００１３】
ケーブル２０は、図２に示すように、ケーブル部２１と、接続端子部２２とを備える。接続端子部２２は、ケーブル部２１の両端に設けられる。ケーブル２０は、一端側の接続端子部２２で外部機器と接続し、他端側の接続端子部２２で接続端子１１と接続することにより、外部機器とコンピュータとを接続する。
【００１４】
接続端子部２２は、先端の長さｄ１の部分で接続端子１１と接続する。すなわち、接続端子部２２は、先端以外の部分が（接続端子部２２が長さｄ２だけ）突き出た状態で接続インタフェース１０と接続する。
【００１５】
ところで、コンピュータによっては、外部機器の使用環境の設定を接続端子１１と関連付けて管理する場合がある。接続端子１１と関連付けて使用環境の設定を管理する場合、一度取り外した外部機器を再度同じ接続端子１１で利用する際、コンピュータは、再度使用環境の設定を構築することなく記憶した構築済みの使用環境の設定を利用できる。
【００１６】
また、コンピュータによっては、接続端子１１に外部機器が接続されると、当該接続端子１１を当該外部機器専用の接続端子とする使用環境の設定を構築し、当該接続端子１１で他の外部機器を認識不可にする場合もある。
【００１７】
このように、コンピュータから外部機器を取り外し接続し直す場合に、取り外す前に接続していた接続端子１１に当該外部機器を再度接続することが求められる場合がある。
しかしながら、図１に示すように接続インタフェース１０には複数の接続端子１１が配置されているため、ケーブル２０を接続端子１１から一度取り外すと、取り外す前に接続していた接続端子１１がわからなくなることがある。
【００１８】
本発明のケーブルガイドについて図３−７を参照して説明する。図３は、第１の実施形態におけるケーブルガイドの斜視図である。図４は、第１の実施形態におけるケーブルガイドの正面図である。図５は、第１の実施形態におけるケーブルガイドの背面図である。図６は、第１の実施形態におけるケーブルガイドの右側面図である。図７は、第１の実施形態におけるケーブルガイドの平面図である。
【００１９】
ケーブルガイド３０は、柔軟性のある素材である樹脂等で、たとえば、ナイロン等で一体成型され、接続インタフェース１０のそれぞれの接続端子１１にケーブル２０の接続端子部２２を案内する。具体的には、ケーブルガイド３０は、複数のケーブル２０が接続インタフェース１０の接続端子１１と同じ配置を保った状態で装着され、装着されたそれぞれのケーブル２０の接続端子部２２を対応する接続端子１１に案内する。
【００２０】
ケーブルガイド３０は、図３に示すように、四角錐台の平行な２面のうち面積が大きい面が開放された箱形状を有している。すなわち、ケーブルガイド３０は、前面部３１と上面部３２と右側面部３３と左側面部３４と底面部３５とから構成され、ケーブル２０は、前面部３１に装着される。
【００２１】
前面部３１は、図６、７に示すように、厚み方向にケーブル２０を摺動する際に、ケーブル２０の保護被覆が損傷することを防止可能な厚み（たとえば、３ｍｍ以上）で形成される。以上から、前面部３１は、構造（３ｍｍ以上）の観点、及び素材（ナイロン）の観点の２つの観点からケーブル２０の保護被覆が損傷することを防止できる。
【００２２】
前面部３１は、図４に示すように、接続端子部通過孔（第２開口部）４１、４２と複数のケーブル装着孔（第１開口部）４３と突起部４４とスリット４５とを有する。
ケーブル装着孔４３は、接続インタフェース１０の接続端子１１と対応した配列（４行３列で１２個）に形成され、ケーブル２０が装着される装着部として機能する。ケーブル装着孔４３は、ケーブル部２１が通過でき、なおかつ接続端子部２２が通過できない大きさで形成される。
【００２３】
接続端子部通過孔４１、４２は、ケーブル装着孔４３の並びに隣接して配置され、接続端子部２２が挿通できるような大きさの孔で、たとえば、略長方形に形成され、前面部３１に接続端子部２２を挿通する挿通部として機能する。これにより、接続端子部２２は、接続端子部通過孔４１、４２の形状に合わせて挿入した場合にのみ接続端子部通過孔４１、４２を通過することができる。
【００２４】
また、接続端子部通過孔４１、４２は、接続端子部通過孔４１、４２の長辺の向きが接続端子１１の長辺の向きと直交するように形成される。これにより、接続端子部２２は、接続端子１１と接続している向きから略９０°向きを変えない限り、接続端子部通過孔４１、４２を通過することができない。したがって、接続端子部２２を接続端子１１に接続している状態から引き抜いただけでは、接続端子部２２が接続端子部通過孔４１、４２を通過できないので、接続端子部通過孔４１、４２の形状は、ケーブル２０を抜けにくくしている。
【００２５】
接続端子部通過孔４１は、４行３列で配置されたケーブル装着孔４３の１列目と２列目の間に形成され、１列目の全てのケーブル装着孔４３と３行２列目のケーブル装着孔４３と４行２列目のケーブル装着孔４３と連結する。
【００２６】
接続端子部通過孔４２は、４行３列で配置されたケーブル装着孔４３の２列目と３列目の間に形成され、１行２列目のケーブル装着孔４３と２行２列目のケーブル装着孔４３と３列目の全てのケーブル装着孔４３と連結する。
【００２７】
これによれば、接続端子部通過孔４１、４２は、列方向（縦方向）に延びる辺に沿って並べられたケーブル装着孔４３と接続する。したがって、ケーブル装着孔４３に装着されたケーブル２０は、縦方向に独立して保持されているので、自重によりケーブル装着孔４３から接続端子部通過孔４１、４２に抜け落ちることが防止される。
【００２８】
ここで、接続端子部通過孔４１、４２に連結されるケーブル装着孔４３は、縦方向に２以上連続して配置される。すなわち、接続端子部通過孔４１は、１列目の４つのケーブル装着孔４３が隣接して配置され、また、２列目の下側の２つのケーブル装着孔４３が隣接して配置されている。同様に、接続端子部通過孔４２は、２列目の上側の２つのケーブル装着孔４３が隣接して配置され、また、３列目の４つのケーブル装着孔４３が隣接して配置されている。
【００２９】
突起部４４は、ケーブル装着孔４３と接続端子部通過孔４１、４２が連結する連結部に、連結部の間隔を狭めるように形成され、ケーブル装着孔４３と接続端子部通過孔４１、４２との間でケーブル２０が移動するのを阻止する阻止部として機能する。突起部４４は、一つの連結部に対して２つ（両側に）存在する。図に示すように突起部４４により狭められた連結部の間隔は、ケーブル部２１の太さよりも狭い間隔である。
【００３０】
突起部４４には、ケーブル装着孔４３と接続端子部通過孔４１、４２が連結する連結部のうち、隣接するケーブル装着孔４３の側にそれぞれ形成される突起部４４ａと、外枠から連結部の内側へ突設される突起部４４ｂの２種類がある。たとえば、ケーブル装着孔４３ｃと接続端子部通過孔４１との連結部の上方（ケーブル装着孔４３ｂ側）には、突起部４４ａが形成され、ケーブル装着孔４３ｃと接続端子部通過孔４１の連結部の下方には突起部４４ｂが形成される。
【００３１】
突起部４４ａは、連結部の間隔を広げる方向に変位可能である。また、突起部４４ａは、連結部の間隔を狭める方向にも変位可能である。一方、突起部４４ｂは、変位不可能である。
【００３２】
ここで、突起部４４ａの変位について説明する。隣接する２つのケーブル装着孔４３は、隔壁４６によって隔てられており、その隔壁４６の先端部には、突起部４４ａがケーブル装着孔４３の並び方向両側に形成されている。隔壁４６と２つの突起部４４ａとは、形状的にＴ字部を構成し、その基部は、外枠に固定され、先端部がケーブル装着孔４３の並び方向に揺動可能になっている。
【００３３】
したがって、たとえば接続端子部通過孔４１に挿通されたケーブル２０を突起部４４ａに接触させた状態でケーブル装着孔４３の方向に向けてケーブル２０に力が加えられると、Ｔ字部が隣接するケーブル装着孔４３の方向に傾倒し、突起部４４ａは、連結部の間隔を広げる方向に変位する。このとき、隣接するケーブル装着孔４３の側の突起部４４ａは、連結部の間隔を狭める方向に変位する。
【００３４】
また、ケーブル装着孔４３に挿通されたケーブル２０を突起部４４ａに接触させた状態で接続端子部通過孔４１の方向に向けてケーブル２０に力が加えられると、Ｔ字部が隣接するケーブル装着孔４３の方向に傾倒し、突起部４４ａは、連結部の間隔を広げる方向に変位する。このとき、隣接するケーブル装着孔４３の側の突起部４４ａは、連結部の間隔を狭める方向に変位する。
【００３５】
このように通常時は、突起部４４により、連結部の間隔は、ケーブル部２１の太さよりも狭い間隔となる。これにより、ケーブルガイド３０は、ケーブル装着孔４３に対するケーブル２０の意図しない装着又は抜けを予防している。また、ケーブルガイド３０は、ケーブル装着孔４３に対してケーブル２０を装着又は外すときに、連結部の間隔が広がることに連動して、隣接するケーブル装着孔４３では、その連結部の間隔が狭められる。これにより、隣接するケーブル装着孔４３に装着されていたケーブル２０は、誤って外されてしまうことが防止される。
【００３６】
スリット４５は、隔壁４６の長手方向に沿って形成され、隔壁４６の厚みを実質的に減らすように調整してＴ字部の柔軟性を調整している。
上面部３２、右側面部３３、左側面部３４、底面部３５は、図３に示すように、前面部３１を囲うように前面部３１の各辺（外周縁部）より起立し、前面部３１のケーブル装着孔４３に装着されたケーブル２０を囲繞して保護するハウジング機構として機能する。
【００３７】
また、上面部３２、右側面部３３、左側面部３４、底面部３５の前面部３１側の端部から開放された面（以下、開放面）までの長さは、図６、７に示すように、Ｄであって接続端子部２２の長さより長く、Ｄ＞ｄ２を満たすように形成されている。
【００３８】
次にケーブルガイド３０を用いたケーブルの接続インタフェース１０への接続手順について図８−１１を参照して説明する。図８−１１は、第１の実施形態におけるケーブルガイドを用いたケーブルの接続端子への接続例を示す図である。
【００３９】
まず始めに、ケーブル２０は、図８、９に示すように、ケーブル２０の装着先であるケーブル装着孔４３と連結している側の接続端子部通過孔４２に挿通される。次に、ケーブル２０は、図１０に示したように、接続端子部通過孔４２から装着先であるケーブル装着孔４３に押し込められ、ケーブル装着孔４３に装着される。
【００４０】
そして、ケーブル２０の接続端子部２２は、ケーブルガイド３０から接続インタフェース１０の方向に引き出され、装着されたケーブル装着孔４３と対応する接続端子１１に接続される。
【００４１】
これらを繰り返すことで複数のケーブル２０は、図１１に示すように、ケーブルガイド３０のケーブル装着孔４３それぞれに装着された状態で、それぞれのケーブル装着孔４３と対応する接続端子１１に接続される。
【００４２】
以上がケーブルガイド３０を用いたケーブル２０の接続インタフェース１０への接続手順である。このようにケーブルガイド３０を用いることで、接続端子１１から接続端子部２２を取り外しても、ケーブルガイド３０は、ケーブル２０が装着されたケーブル装着孔４３に基づいて、当該ケーブル２０が取り外す前に接続していた接続端子１１を容易に特定できる。
【００４３】
次にケーブル２０をケーブルガイド３０に装着した状態で接続先を間違えた場合について図１２を用いて説明する。図１２は、第１の実施形態におけるケーブルガイドに装着したケーブルの接続先を間違えた場合の一例を示す図である。
【００４４】
ケーブル装着孔４３ｂは、接続端子１１ｂと対応し、ケーブル装着孔４３ｃは、接続端子１１ｃと対応している。しかし、この例では、ケーブル装着孔４３ｃに装着されたケーブル２０ｃは、接続端子１１ｂに接続され、ケーブル装着孔４３ｂに装着されたケーブル２０ｂは、接続端子１１ｃに接続されている。このように適切な接続がなされていない場合、ケーブル装着孔４３ｃに装着されたケーブル２０ｃと、ケーブル装着孔４３ｂに装着されたケーブル２０ｂとは、ケーブルガイド３０内で互いに交差する。
【００４５】
このような状態で、ケーブルガイド３０を図の矢印方向（接続インタフェース１０方向）に移動させる場合について考える。ここで、ケーブルガイド３０の長さＤは、接続端子部２２の長さｄ２よりも少し長くなっている（Ｄ＞ｄ２）。そのため、ケーブル装着孔４３に挿入されたケーブル２０のケーブル部２１が交差していない場合には、ケーブルガイド３０は、接続インタフェース１０と接触する位置まで移動可能である。
【００４６】
しかし、ケーブル装着孔４３に挿入されたケーブル２０のケーブル部２１が交差している場合には、交差した部分ｄ３によりケーブルガイド３０の移動が妨害され、ケーブルガイド３０は、接続インタフェース１０に接触する位置まで移動することができなくなる（Ｄ＜ｄ２＋ｄ３）。これにより、ケーブルガイド３０は、ケーブル２０を接続インタフェース１０に接続した者に対してケーブル２０の適切な接続がなされていないことを気付かせることができる。このように、ｄ２＜Ｄ＜ｄ２＋ｄ３の範囲でＤを設定することが好ましい。
【００４７】
以上が第１の実施形態におけるケーブルガイド３０である。なお、ケーブルガイド３０は、前面部３１、上面部３２、右側面部３３、左側面部３４、底面部３５から構成されているとして説明したがこれに限らない。ケーブルガイド３０は、前面部３１のみで構成されていてもよい。
【００４８】
なお、ケーブル装着孔４３と接続端子部通過孔４１、４２との連結形態は一例であってこれに限らない。たとえば、接続端子部通過孔４１が、１列目の全てのケーブル装着孔４３と２列目の全てのケーブル装着孔４３と連結し、接続端子部通過孔４２が、３列目の全てのケーブル装着孔４３と連結するように、接続端子部通過孔４１、４２とを形成してもよい。
【００４９】
なお、接続端子部通過孔を、４行３列で配置されたケーブル装着孔４３の列と列の間に配置するように形成するとして説明したが、４行３列で配置されたケーブル装着孔４３の行と行の間に配置するように形成してもよい。
【００５０】
なお、スリット４５の面積を調整することでＴ字部の柔軟性を調整することもできる。たとえば、スリット４５の面積を小さくすることで、ケーブルガイド３０は、ケーブル装着孔４３と接続端子部通過孔との間でケーブル２０を移動させるために必要な力を大きくし、より抜けにくくすることができる。
【００５１】
また、スリット４５の面積を大きくすることで、ケーブルガイド３０は、ケーブル装着孔４３と接続端子部通過孔との間でケーブル２０を移動させるために必要な力を小さくし、ケーブル２０をケーブル装着孔４３に容易に装着可能にする。
【００５２】
さらに、スリット４５を形成する位置を変えることで、ケーブルガイド３０は、Ｔ字部の一部のみを傾倒するように調整することもできる。たとえば、スリット４５を隔壁４６の突起部４４ａ側にのみ形成することで、ケーブルガイド３０は、Ｔ字部のうち突起部４４ａの周辺のみが傾倒するように調整できる。
【００５３】
なお、Ｔ字部が傾倒可能（突起部４４ａが変位可能）であればよく、スリット４５がなくてもＴ字部が傾倒可能である場合にはスリット４５を形成しなくてもよい。
［第２の実施形態］
図１３は、第２の実施形態におけるケーブルガイドの斜視図である。図１４は、第２の実施形態におけるケーブルガイドの正面図である。
【００５４】
ケーブルガイド５０は、図１３に示すように、接続端子が２行２列で配置されている接続インタフェースで利用されるケーブルガイドである。ケーブルガイド５０の前面部５１は、図１４に示すように、２行２列で形成されたケーブル装着孔と、２行２列で形成されたケーブル装着孔の１列目と２列目の間に形成され４つのケーブル装着孔と連結する接続端子部通過孔とを含む。
【００５５】
なお、ケーブルガイド５０は、接続端子が２行２列で配置された接続インタフェースで利用されるケーブルガイドの一例であり、これに限らない。たとえば、２行２列で形成されたケーブル装着孔の１列目と２列目の間、及び２列目の右側に接続端子部通過孔が形成され、１列目と２列目の間に形成された接続端子部通過孔が１列目のケーブル装着孔と連結し、２列目の右側に形成される接続端子部通過孔が２列目のケーブル装着孔と連結していてもよい。
【００５６】
［第３の実施形態］
図１５は、第３の実施形態におけるケーブルガイドの斜視図である。図１６は、第３の実施形態におけるケーブルガイドの正面図である。
【００５７】
ケーブルガイド６０は、図１５に示すように、接続端子が４行１列で配置されている接続インタフェースで利用されるケーブルガイドである。ケーブルガイド６０の前面部６１は、図１６に示すように、４行１列で形成されたケーブル装着孔と、４行１列で形成されたケーブル装着孔の１列目の右側に形成され４つのケーブル装着孔と連結する接続端子部通過孔とを含む。
【００５８】
なお、ケーブルガイド６０は、接続端子が４行１列で４個配置された接続インタフェースで利用されるケーブルガイドの一例であり、これに限らない。たとえば、４行１列で形成されたケーブル装着孔の１列目の左側、及び１列目の右側に接続端子部通過孔が形成され、１列目の左側に形成された接続端子部通過孔が１行１列目と２行１列目のケーブル装着孔と連結し、１列目の右側に形成される接続端子部通過孔が３行１列目と４行１列目のケーブル装着孔と連結していてもよい。
【００５９】
［第４の実施形態］
第４の実施形態のケーブルガイドは、接続インタフェースに取付けることができる点で第１ないし第３の実施形態と相違する。第４の実施形態のケーブルガイドについて図１７−２０を用いて説明する。図１７は、第４の実施形態におけるケーブルガイドが適用される接続インタフェースの一例を示す図である。図１８は、第４の実施形態におけるケーブルガイドの斜視図である。図１９は、第４の実施形態におけるケーブルガイドの平面図である。図２０は、第４の実施形態におけるケーブルガイドの右側面図である。
【００６０】
接続インタフェース７０は、４行３列で形成された接続端子の１列目の左側、及び４列目の右側に係止孔７１を有する。
ケーブルガイド８０は、図１８に示すように、側面部（右側面部８３及び左側面部８４の開放面側の端部）に係止孔７１と係止可能な係止突起（係止部）９１を有する。
【００６１】
係止突起９１は、係止孔７１と対応する位置に形成される。係止突起９１は、ケーブル２０を装着した状態で、上面部８２、右側面部８３、左側面部８４、及び底面部８５の開放面側の端面が接続インタフェース７０に接触するまでケーブルガイド８０を移動させると、係止孔７１に挿入される。
【００６２】
係止突起９１は、図１９に示すように、側面部（右側面部８３及び左側面部８４）の開放面側の端部から突出している。係止突起９１は、先端部が細くなったテーパー状であるとともに、係止孔７１と係止可能な返し部が形成されており、内側に変位した状態で、係止孔７１と挿抜可能（係脱自在）である。これによれば、係止突起９１は、係止孔７１に容易に挿入可能であり、なおかつ係止孔７１からの抜けを防止できる。
【００６３】
また、右側面部８３には、図２０に示すように、開放面側の端部から前面部８１側に向かって２つの切り込みが形成されている。２つの切り込みに囲まれた右側面部８３の開放面側の端部（以下、切り込み領域）は、箱形状の内側に向かって傾倒可能である。そして、係止突起９１は、２つの切り込みに囲まれた右側面部８３の開放面側の端部（以下、切り込み領域）から延在している。
【００６４】
これによれば、係止突起９１は、切り込み領域から延在して形成されているため、切り込み領域が箱形状の内側に傾倒すると、内側に変位する。なお、図示しない左側面部８４の係止突起９１も同様に形成されている。
【００６５】
次にケーブルガイド８０の接続インタフェース７０への取付け、取り外し手順を説明する。図２１、２２は、第４の実施形態におけるケーブルガイドの接続インタフェースへの装着例を示す図である。
【００６６】
複数のケーブル２０が対応する接続端子１１にそれぞれ接続した後、ケーブルガイド８０は、接続インタフェース７０に向けて移動される。係止突起９１が係止孔７１に到達し、両者が位置決めされていれば、さらにケーブルガイド８０を接続インタフェース７０に向けて移動することにより、係止突起９１は、箱形状の内側の方向に変位しながら係止孔７１に挿入される。そして係止突起９１の返し部が係止突起９１を通過すると、係止突起９１が復元され（変位が元に戻り）、係止突起９１の返し部が係止孔７１に引っ掛かり、抜けなくなる。このようにして、ケーブルガイド８０は、接続インタフェース７０に取付けられる。
【００６７】
次に、ケーブルガイド８０を接続インタフェース７０から取り外す手順について説明する。まず始めにケーブルガイドの右側面部８３と左側面部８４の切り込み領域を内側に押し込んで係止突起９１と係止孔７１との係止状態を解除する。この状態で、ケーブルガイド８０を接続インタフェース７０から遠ざける方向に移動させると、係止突起９１の返し部が係止孔７１を通過し、ケーブルガイド８０は、接続インタフェース７０から取り外される。
【００６８】
ところで、ケーブルガイド８０が接続インタフェース７０に取付けられた状態では、図１２を参照すると、接続端子部２２は、ケーブルガイド８０の中でＤ−ｄ２だけしか移動するスペースがない。したがって、Ｄ−ｄ２が小さな値になるようなケーブルガイド８０であれば、ケーブルガイド８０を接続インタフェース７０に取付けることにより、ケーブルガイド８０は、接続端子１１から接続端子部２２が外れることを防止できる。
【００６９】
なお、係止孔７１及び係止突起９１は、接続インタフェース７０とケーブルガイド８０とを取付けるための構造の一例であり、これに限らず、ねじ止め等の様々な態様を取ることが可能である。
【００７０】
なお、ケーブルガイドを四角錐台の一面が開放された箱形状として説明したがこれに限らない。たとえば、ケーブルガイドは、直方体の一面が開放された箱形状であってもよいし、様々な形状をとり得る。
【００７１】
なお、接続端子１１の形状を、ＵＳＢ端子を想定して長方形として説明したがこの形状に限らない。接続端子１１の形状は、たとえば、円形（たとえば、ＲＣＡ端子）であっても同様に適用可能である。
【００７２】
なお、開示はあくまでも一例にすぎず、当業者において、発明の主旨を逸脱しない範囲で適宜変更が可能であり、容易に想到し得るものについても、当然に本発明の範囲に包含されるものである。
【符号の説明】
【００７３】
１０、７０  接続インタフェース
１１、１１ｂ、１１ｃ  接続端子
２０、２０ｂ、２０ｃ  ケーブル
２１  ケーブル部
２２  接続端子部
３０、５０、６０、８０  ケーブルガイド
３１、５１、６１、８１  前面部
３２、８２  上面部
３３、８３  右側面部
３４、８４  左側面部
３５、８５  底面部
４１、４２  接続端子部通過孔（第２開口部）
４３、４３ｂ、４３ｃ  ケーブル装着孔（第１開口部）
４４、４４ａ、４４ｂ  突起部
４５  スリット
４６  隔壁
７１  係止孔
９１  係止突起
【図１】
2015228308.tif 000003
【図２】
2015228308.tif 000004
【図３】
2015228308.tif 000005
【図４】
2015228308.tif 000006
【図５】
2015228308.tif 000007
【図６】
2015228308.tif 000008
【図７】
2015228308.tif 000009
【図８】
2015228308.tif 000010
【図９】
2015228308.tif 000011
【図１０】
2015228308.tif 000012
【図１１】
2015228308.tif 000013
【図１２】
2015228308.tif 000014
【図１３】
2015228308.tif 000015
【図１４】
2015228308.tif 000016
【図１５】
2015228308.tif 000017
【図１６】
2015228308.tif 000018
【図１７】
2015228308.tif 000019
【図１８】
2015228308.tif 000020
【図１９】
2015228308.tif 000021
【図２０】
2015228308.tif 000022
【図２１】
2015228308.tif 000023
【図２２】
2015228308.tif 000024